(57)【要約】【課題】入れ歯を使っているお年寄りの方々などは、毎日の食後に入れ歯の洗浄をするのが大変時間と手間がかかる作業で大変であった。本発明は、これらの問題点を解決するため、お年寄りに簡単にかつ短時間で入れ歯の洗浄ができるように工夫したものである。最近、介護施設の増加に伴い、職員は毎日の食事の利用者の口腔衛生に充分の留意が必要となっている。その業務は煩雑で労働過重の解消にも役立つものである。【解決手段】  洗浄液と被洗浄物を充填できる洗浄室を有する洗浄ケース本体とこの洗浄室の底部に設けた底部ブラシと洗浄室の上部に下方向に向かうように設けた上部ブラシとこの上部ブラシの回転方向と底部ブラシの回転方向を逆方向となるように回転させる駆動機構を設けた入れ歯洗浄装置である。【選択図】図１
2019202100.tif 000002
【特許請求の範囲】
【請求項１】
洗浄液と被洗浄物を充填できる洗浄室を有する洗浄ケース本体と、
この洗浄室の底部に設けた底部ブラシと、
洗浄室の上部に下方向に向かうように設けた上部ブラシと、
この上部ブラシの回転方向と底部ブラシの回転方向を逆方向となるように回転させる駆動機構を設けたこと特徴とする入れ歯洗浄装置。
【請求項２】
洗浄液と被洗浄物を充填できる洗浄室を有する洗浄ケース本体と、
この洗浄室の底部に設けた底部ブラシと、
洗浄室の中間部には上下方向に向かうように設けた中間ブラシと、
洗浄室の上部に下方向に向かう上部ブラシと、
この上部ブラシの回転方向と底部ブラシの回転方向は同一方向として中間ブラシの回転方向を逆方向となるように回転させる駆動機構を設けたこと特徴とする入れ歯洗浄装置。
【請求項３】
洗浄液と被洗浄物を充填できる洗浄室の内側面にフィンを設けてなることを特徴とする請求項１又は請求項２に記載の入れ歯洗浄装置。
【発明の詳細な説明】
【技術分野】
【０００１】      本発明は、入れ歯の洗浄装置に関するものである。
【背景技術】
【０００２】      老人の食後の入れ歯洗浄を洗浄することは、洗面所に行って歯ブラシなどで磨く等の手間がかかって大仕事である。また、介護する人の時間を要るなどの状況にあった。
【先行技術文献】
【特許文献】
【０００３】
【特許文献１】特開２００９−１１９２１２
【特許文献２】特開昭５６−１５８１７９
【発明の概要】
【発明が解決しようとする課題】
【０００４】      入れ歯を使っているお年寄りの方々などは、毎日の食後に入れ歯の洗浄をするのが大変時間と手間がかかる作業で大変であった。本発明は、これらの問題点を解決するため、お年寄りに簡単にかつ短時間で入れ歯の洗浄ができ、しかも確実な洗浄を行うことのできるようにした入れ歯洗浄装置を提供することを課題としたものである。最近、介護施設の増加に伴い、職員は毎日の食事の利用者の口腔衛生に充分の留意が必要となっている。その業務は煩雑で労働過重の解消にも役立つものである。
【課題を解決するための手段】
【０００５】      本発明に係る入れ歯洗浄装置１は、洗浄液と被洗浄物１２，１３を充填できる洗浄室２を有する洗浄ケース本体３と、この洗浄室の底部に設けた底部ブラシ４と、洗浄室の上部に下方向に向かうように設けた上部ブラシ８とこの上部ブラシ８の回転方向と底部ブラシ４の回転方向を逆方向となるように回転させる駆動機構６，７を設けたものである。
さらに、洗浄液と被洗浄物１２，１３を充填できる洗浄室２の内側面にフィン１５を設けた入れ歯洗浄装置である。【０００６】また、第２の課題解決手段は、洗浄液と被洗浄物１２，１３を充填できる洗浄室２を有する洗浄ケース本体３と、この洗浄室の底部に設けた底部ブラシ８と、洗浄室２の中間部には上下に設けた中間ブラシ９と、洗浄室２の上部に下方向に向かう上部ブラシ８と、この上部ブラシ８の回転方向と底部ブラシ４の回転方向は同一方向として中間ブラシ９の回転方向を逆方向となるように回転させる駆動機構６，７を配置する構成とした入れ歯洗浄装置である。
さらに、洗浄液と被洗浄物１２，１３を充填できる洗浄室２の内側面にフィン１５を設けた入れ歯洗浄装置である。【０００７】    上記第１の課題解決手段による作用は次の通りである。すなわち、洗浄室２に洗浄液を入れて底部ブラシ４の所に入れ歯・被洗浄物１２，１３を載置した後に、上部ブラシ８を設置し、歯車構造６，７により円滑に上下ブラシ４，８が逆回転をすることができる。つまり、手動の駆動機構を設けた上部蓋を閉めてから上下逆回転駆動装置を回転させることにより入れ歯・被洗浄物１２，１３を洗浄することができる入れ歯洗浄装置であって、底部ブラシ４と上部ブラシ８の空間部に入れ歯を載置して、上部ブラシ８の回転方向と底部ブラシ４の回転方向を逆方向となるように回転させて洗浄できるように形成するので、入れ歯・被洗浄物１２，１３を洗浄することができる。
また、洗浄液と被洗浄物を充填できる洗浄室２の内側面にフィン１５を設けることにより、乱流を起こさせて、より洗浄効果を増すことができるという効果を発揮する。【０００８】    また、第２の課題解決手段による作用は、洗浄液と入れ歯・被洗浄物１２，１３を充填できる洗浄室２を有する洗浄ケース本体と、この洗浄室２の底部に設けた底部ブラシ４と、洗浄室２の中間部には上下に設けた中間ブラシ９と、洗浄室２の上部に下方向に向かう上部ブラシ８と、この上部ブラシの回転方向と底部ブラシの回転方向は同一方向として中間ブラシ９の回転方向を逆方向となるように回転させる駆動機構を配置する構成とした入れ歯洗浄装置であって、底部ブラシ４の上部の下部第１空間部１０に上あご用入れ歯１２を載置し、中間ブラシ９と上部ブラシ８で構成される上部第２空間部１１に下あご用入れ歯１３を載置して、上部ブラシ８、中間ブラシ９及び底部ブラシ４が回転することにより形成するので、入れ歯・被洗浄物を洗浄することができる。
さらに、洗浄液と被洗浄物を充填できる洗浄室の下部第１空間部１０と上部第２空間部１１の内側面にフィン１５を設けたことにより、乱流を起こさせて、より洗浄効果を増すことができるという効果を発揮する。
【発明の効果】
【０００９】    上述した本発明においては、空間部に入れ歯を載置して、上部と下部とのブラシの回転方向を逆方向となるように回転させて洗浄できるように形成するので、入れ歯磨きが簡単になり、かつ時間及び負担が軽減でき、しかも確実な洗浄を行うことができる。更に、洗浄室にフィンを設けたことにより、乱流を起こさせて、より洗浄効果を増すことができるという効果がある。
【図面の簡単な説明】
【００１０】
【図１】本発明の洗浄装置の全体図である。（実施例１）
【図２】本発明の洗浄装置の洗浄室の図である。
【図３】本発明の洗浄装置の駆動機構・歯車の原理図である。
【図４】本発明の実施例２の洗浄装置の全体図である。（実施例２）
【図５】本発明の実施例２の洗浄装置の上部の部品図である。
【図６】本発明の実施例２の洗浄室の斜視図である
【図７】本発明の被洗浄物で、上あご用入れ歯の斜視図である
【図８】本発明の被洗浄物で、下あご用入れ歯の斜視図である。
【発明を実施するための形態】
【実施例１】
【００１１】  以下、本発明の実施例１の形態を図１〜図３に基づいて説明する。
図１は、本発明装置の１実施例の断面図であって、洗浄液と被洗浄物１２・１３を充填できる洗浄室２を有する洗浄ケース本体３とこの洗浄室２の底部に通常の歯ブラシのブラシ部を底部に放射状に設けた底部ブラシ４を形成している。
この洗浄室２の内側面にフィン１５を設けて洗浄室内の洗浄液の上流に向かう乱流を起こさせる構成となっている。【００１２】  図２においては、洗浄室２の上部に下方向に向かうように通常の歯ブラシのブラシ部を放射状に設けた上部ブラシ８を設けている。【００１３】  図３においては、上部ブラシ８の回転方向と底部ブラシ４の回転方向を逆方向となるように回転させる駆動機構５．６について図解している。つまり、手動でハンドル１６を回した時に第１歯車６が回転し、その回転に応じて逆回転をする第２歯車７があり、その第２歯車７に応じて同方向に洗浄室２が回転できるようになっている。
【実施例２】
【００１４】  以下、本発明の実施例２の形態を図４〜図６に基づいて説明する。
図４は、本発明装置の実施例２の断面図であって、洗浄液と被洗浄物１２・１３を充填できる格子状に形成された洗浄室２を有する洗浄ケース本体３とこの洗浄室２の底部に通常の歯ブラシのブラシ部を底部に放射状に設けた底部ブラシ４を形成している。洗浄室２の中間部には通常の歯ブラシのブラシ部を上下に放線状に設けた中間ブラシ９を形成している。さらに、洗浄室２の上部に下方向に向かうように通常の歯ブラシのブラシ部を放射状に設けた上部ブラシ８を設けている。【００１５】  図５においては、洗浄装置の構造の上部の部品図であり、上部ブラシ８の回転方向と底部ブラシ部の回転方向は同一方向として中間ブラシ９の回転方向を逆方向となるように回転させる駆動機構を構成している。つまり、手動でハンドル１６を回した時に第１歯車６が回転し、その回転に応じて逆回転をする第２歯車７があり、その第２歯車７に応じて同方向に洗浄室２が回転できるようになっている。【００１６】  図６においては、この洗浄室２の内側面にフィン１５を設けて洗浄室内の洗浄液の乱流を起こさせる構成となっている。【００１７】    以下、上記構成の動作を説明する。
実施例１では、水中で正逆方向の水流が衝突すると波状が荒くなり乱水流となる。この原理を利用して、洗浄機本体１の前上部には歯車などの駆動装置が設けてある。上部回転と同一の回転をするのが底部に設けた底部ブラシ４である。
そして、ハンドル１６を回転するとハンドル回転中心棒５により、ハンドル１６が正方向に回転すると歯車６・７を伝い正逆反対の回転となる。
回転が始まると洗浄する力を発揮する。
被洗浄物１２・１３の食後などに付着した異物を除去する。
回転するブラシで歯に付着している異物を清掃が増加する。
更に、洗浄室の側壁にフィンが設けてあり、このフィンの影響により乱流を起こさせて、より洗浄効率を上げている。【００１８】  実施例２では、洗浄室を二室設けたものである。
被洗浄物１２・１３は、口腔内で上下一体となっている。被洗浄物上あご用入れ歯１２は、ドーム型の屋根形状で形成されているが、被洗浄物下あご用入れ歯１３は、歯肉があり、弓型の形状となっている。そのため、据置くときに場所の狭隘がポイントとなる。異形の義歯を二室に据置くことを考慮した。
ドーム型の屋根形状の平面状の被洗浄物上あご用入れ歯１２は下部第１空間部１０に、また弓型の形状の被洗浄物下あご用入れ歯１３は上部第２空間部１１に、適宜載置する。
そして、ハンドルを回転するとハンドル回転中心棒５により、中間ブラシ９が相反する動作をする。上記の動作を起動するのが歯車の役目で、ハンドルが正方向に回転すると第１歯車６から第２歯車７を伝い正逆反対の回転となる。
つまり、上部のハンドルを回転させることにより、下部第１空間部１０に載置した上あご用入れ歯１２と、上部第２空間部１１に載置した下あご用入れ歯１３とを同時に洗浄を始める。回転が始まると洗浄する力を発揮する。
被洗浄物１２・１３の食後などに付着した異物を除去する。回転するブラシで歯に付着している異物を清掃が増加する。
更に、洗浄室の側壁にフィンが設けてあり、このフィンの影響により乱流を起こさせて、より洗浄効率を上げている。【００１９】  以上にように、本実施形態によれば、洗浄室に入れ歯を載置して洗浄水を入れて上部のハンドルを回すことにより、簡単にかつ短時間で洗浄することが出来という効果が得られるものである。【００２０】  本発明の実施例では、ハンドルを手動で回しているが、電動式で回しても本発明の目的を達成できるものである。
【符号の説明】
【００２１】１  入れ歯洗浄機
２  洗浄室
３  洗浄ケース本体
４  洗浄機底部ブラシ
５  ハンドル回転中心棒
６  第１歯車
７  第２歯車
８  上部ブラシ
９  中間ブラシ
１０  洗浄室空間上部
１１  洗浄室空間下部
１２  被洗浄物上あご用入れ歯
１３  被洗浄物下あご用入れ歯
１４  洗浄室分割ジョイント
１５  フィン
１６  ハンドル
【図１】
2019202100.tif 000003
【図２】
2019202100.tif 000004
【図３】
2019202100.tif 000005
【図４】
2019202100.tif 000006
【図５】
2019202100.tif 000007
【図６】
2019202100.tif 000008
【図７】
2019202100.tif 000009
【図８】
2019202100.tif 000010
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
洗浄液と被洗浄物を充填できる洗浄室を有する洗浄ケース本体と、
この洗浄室の底部に設けた底部ブラシと、
洗浄室の中間部には上下方向に向かうように設けた中間ブラシと、
洗浄室の上部に下方向に向かう上部ブラシと、
この上部ブラシの回転方向と底部ブラシの回転方向は同一方向として中間ブラシの回転方向を逆方向となるように回転させる駆動機構を設けたこと特徴とする入れ歯洗浄装置。
【請求項２】
洗浄液と被洗浄物を充填できる洗浄室の内側面にフィンを設けてなることを特徴とする請求項１に記載の入れ歯洗浄装置。